(57)【要約】【課題】高品位の画像を取得することを可能としたカプセル型内視鏡を実現する。【解決手段】カプセル型内視鏡２は、照明光を出力する照明部１１と、被検体内画像の撮像を行う撮像部１２と、撮像画像の輝度を導出する画像輝度導出部１６と、基準輝度を記憶する基準輝度情報保持部１７と、画像輝度と基準輝度とを比較する比較部１８と、比較結果に基づき照明部１１の発光量を調整する発光量調整部１９と、各構成要素の駆動タイミングを制御するタイミング制御部２０と、雑音除去手段等として機能するタイミングジェネレータ２１とを備える。タイミング制御部２０は、雑音除去手段として動作するタイミングについて、照明部１１の発光量の変化に関わらず撮像部１２からの電気信号の出力完了後、照明部１１からの照明光出力開始までの間に制御し、他の動作に悪影響を及ぼすことなく暗電流に起因した雑音成分を除去する。【選択図】        図２
2005319096.tif 000002
【特許請求の範囲】
【請求項１】
被検体の内部に導入され、前記被検体の内部の画像を撮像するカプセル型内視鏡であって、
前記被検体の内部表面に対して照明光を照射する照明手段と、
入射光に応じた電気信号を生成し、生成した電気信号を出力する撮像手段と、
暗電流に起因して前記撮像手段に蓄積された雑音電荷を除去する雑音除去手段と、
前記雑音除去手段の駆動タイミングを、前記撮像手段による電気信号の出力動作の完了後であって、前記照明手段による照明光の照射開始前の期間となるよう制御するタイミング制御手段と、
を備えたことを特徴とするカプセル型内視鏡。
【請求項２】
前記タイミング制御手段は、前記照明手段の駆動開始タイミングと、前記雑音除去手段の駆動停止タイミングとが同時となるよう制御動作を行うことを特徴とする請求項１に記載のカプセル型内視鏡。
【請求項３】
前記撮像手段によって撮像された画像の輝度と、所定の基準輝度とを比較する比較手段と、
前記比較手段による比較結果に基づいて前記照明手段から出力される照明光の発光量を調整する発光量調整手段と、
をさらに備えたことを特徴とする請求項１または２に記載のカプセル型内視鏡。
【請求項４】
前記比較手段は、前記画像輝度と前記基準輝度との間の大小関係を導出し、
前記発光量調整手段は、前記画像輝度が前記基準輝度を上回る値である場合に前記照明手段の駆動期間を所定量だけ増加させ、前記画像輝度が前記基準輝度を下回る値である場合に前記照明手段の駆動期間を所定量だけ減少させるよう調整を行うことを特徴とする請求項３に記載のカプセル型内視鏡。
【請求項５】
前記タイミング制御手段は、前記発光量調整手段によって前記照明手段の駆動期間が調整された際に、前記照明手段の駆動停止タイミングを一定に維持しつつ前記照明手段の駆動開始タイミングを変化させることを特徴とする請求項３または４に記載のカプセル型内視鏡。
【請求項６】
被検体内に導入され、該被検体内の画像を撮像すると共に画像データを含む無線信号を外部に無線送信するカプセル型内視鏡と、該カプセル型内視鏡から送信された無線信号を受信する受信装置とを備えたカプセル型内視鏡システムであって、
前記受信装置は、
前記カプセル型内視鏡から送信された無線信号を受信する受信用アンテナ手段と、
前記受信用アンテナ手段によって受信された無線信号に対して所定の処理を行う外部装置とを備え、
前記カプセル型内視鏡は、
前記被検体の内部表面に対して照明光を照射する照明手段と、
入射光に応じた電気信号を出力する光電変換素子を搭載した撮像手段と、
暗電流に起因して前記撮像手段に蓄積された雑音電荷を除去する雑音除去手段と、
前記雑音除去手段の駆動タイミングを、前記撮像手段による電気信号の出力動作の完了後であって、前記照明手段による照明光の照射開始前の期間となるよう制御するタイミング制御手段と、
前記撮像手段によって撮像された画像データを含む無線信号を外部に送信する無線手段と、
を備えたことを特徴とするカプセル型内視鏡システム。
【請求項７】
前記撮像手段によって撮像された画像の輝度と、所定の基準輝度とを比較する比較手段と、
前記比較手段による比較結果に基づいて前記照明手段から出力される照明光の発光量を調整する発光量調整手段とをさらに備え、
前記タイミング制御手段は、前記照明手段の駆動開始タイミングと、前記雑音除去手段の駆動停止タイミングとが同時となるよう制御しつつ、前記発光量調整手段によって前記照明手段の駆動期間が調整された際に、前記照明手段の駆動停止タイミングを一定に維持しつつ前記照明手段の駆動開始タイミングを変化させることを特徴とする請求項６に記載のカプセル型内視鏡システム。
【発明の詳細な説明】
【技術分野】
【０００１】
本発明は、被検体の内部に導入され、前記被検体の内部の画像を撮像するカプセル型内視鏡およびカプセル型内視鏡システムに関するものである。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、例えば胃、小腸などの臓器の内部をその蠕動運動に従って移動し、順次撮像する機能を有する。
【０００３】
体腔内を移動する間、カプセル型内視鏡によって体内で撮像された画像データは、順次無線通信により外部に送信され、外部に設けられたメモリに蓄積される。無線通信機能とメモリ機能とを備えた受信機を携帯することにより、被検体は、カプセル型内視鏡を飲み込んだ後、排出されるまでの間に渡って、自由に行動できる。カプセル型内視鏡が排出された後、医者もしくは看護士においては、メモリに蓄積された画像データに基づく臓器の画像をディスプレイに表示させることによって診断を行うことができる。
【０００４】
カプセル型内視鏡に備わる撮像機能は、例えば、所定の光学系と、ＣＣＤ等の撮像素子とによって形成されている。具体的には、カプセル型内視鏡は、光学系によって結像された入射光を電気信号に変換することにより、被検体内部の画像を取得している。
【０００５】
【特許文献１】特開２００３−７０７２８号公報（第３頁、第１図）
【発明の開示】
【発明が解決しようとする課題】
【０００６】
しかしながら、従来のカプセル型内視鏡システムでは、高品位の被検体内画像の取得が容易ではないという課題を有する。具体的には、従来のカプセル型内視鏡システムでは、カプセル型内視鏡の照明輝度の調整および取得される画像データ中の雑音成分の存在により、高品位の被検体内画像を取得することが困難である。以下、かかる課題について詳細に説明する。
【０００７】
まず、従来のカプセル型内視鏡では、ＬＥＤの照射光量の調整が容易でないという問題がある。すなわち、カプセル型内視鏡は、被検体内に導入可能な程度に小型化する必要があることからカプセルに内蔵される回路も単純な構成であることが好ましく、また、被検体内に導入されてから排出されるまで、例えば８時間程度に渡って駆動する必要があることから、カプセル型内視鏡にそなわる制御回路等は、低消費電力のものを使用する必要がある。
【０００８】
このため、カプセル型内視鏡は、例えばディジタルカメラに具備されるような調光機構を搭載することは少なくとも現時点では現実的ではなく、カプセル型内視鏡に特化した調光機構を備える必要がある。しかしながら、現時点で提案されている調光機構の中で、カプセル型内視鏡の使用条件に適合するようなものは必ずしも存在しないのが現状である。
【０００９】
次に、暗電流に起因した雑音成分が画像データに包含されるという問題について説明する。暗電流とは、ＣＣＤ等の撮像素子の機構上、入射光と無関係に発生する電流成分をいい、かかる暗電流の量に応じて取得画像データに雑音成分が混入することとなる。
【００１０】
図７は、暗電流の温度依存性の一例について示す模式的なグラフである。図７に示すように、暗電流の強度は温度の上昇につれて単調に増加する傾向を示しており、環境温度が高ければ高いほど、暗電流に起因した雑音成分が増大することとなる。
【００１１】
ここで、カプセル型内視鏡は、被検体内に導入された状態で撮像動作を行うことから、環境温度としては３８℃程度となる。かかる温度条件下でＣＣＤ等の撮像素子を使用した場合の暗電流の値は、室温（例えば、２０℃）と比較して３〜４倍程度に増加することとなる。従って、カプセル型内視鏡に備わる撮像素子を用いて撮像動作を行った場合には、通常の撮像装置を用いた場合と比較して暗電流の量が増大し、画像の品位に与える影響も大きなものとなる。
【００１２】
なお、暗電流の影響を排除するために、ＣＣＤを冷却しつつ撮像を行う構成が既に提案され、一部で実用化されている。しかしながら、かかる冷却機構は高い電力を消費することから、カプセル型内視鏡に搭載することは妥当ではなく、他に代替手段も存在しないのが現状である。
【００１３】
本発明は、上記に鑑みてなされたものであって、高品位の画像を取得することを可能としたカプセル型内視鏡およびカプセル型内視鏡システムを実現することを目的とする。
【課題を解決するための手段】
【００１４】
上述した課題を解決し、目的を達成するために、請求項１にかかるカプセル型内視鏡は、検体の内部に導入され、前記被検体の内部の画像を撮像するカプセル型内視鏡であって、前記被検体の内部表面に対して照明光を照射する照明手段と、入射光に応じた電気信号を生成し、生成した電気信号を出力する撮像手段と、暗電流に起因して前記撮像手段に蓄積された雑音電荷を除去する雑音除去手段と、前記雑音除去手段の駆動タイミングを、前記撮像手段による電気信号の出力動作の完了後であって、前記照明手段による照明光の照射開始前の期間となるよう制御するタイミング制御手段とを備えたことを特徴とする。
【００１５】
この請求項１の発明によれば、雑音除去手段の駆動タイミングを撮像手段の出力動作の完了後であって、照明光の照射開始前の期間に駆動させるタイミング制御手段を備えることとしたため、電気信号の出力動作および入射光に起因した電気信号の生成に悪影響を及ぼすことなく、暗電流に起因した雑音成分の除去を行うことができる。
【００１６】
また、請求項２にかかるカプセル型内視鏡は、上記の発明において、前記タイミング制御手段は、前記照明手段の駆動開始タイミングと、前記雑音除去手段の駆動停止タイミングとが同時となるよう制御動作を行うことを特徴とする。
【００１７】
また、請求項３にかかるカプセル型内視鏡は、上記の発明において、前記撮像手段によって撮像された画像の輝度と、所定の基準輝度とを比較する比較手段と、前記比較手段による比較結果に基づいて前記照明手段から出力される照明光の発光量を調整する発光量調整手段とを備えたことを特徴とする。
【００１８】
また、請求項４にかかるカプセル型内視鏡は、上記の発明において、前記比較手段は、前記画像輝度と前記基準輝度との間の大小関係を導出し、前記発光量調整手段は、前記画像輝度が前記基準輝度を上回る値である場合に前記照明手段の駆動期間を所定量だけ増加させ、前記画像輝度が前記基準輝度を下回る値である場合に前記照明手段の駆動期間を所定量だけ減少させるよう調整を行うことを特徴とする。
【００１９】
また、請求項５にかかるカプセル型内視鏡は、上記の発明において、前記タイミング制御手段は、前記発光量調整手段によって前記照明手段の駆動期間が調整された際に、前記照明手段の駆動停止タイミングを一定に維持しつつ前記照明手段の駆動開始タイミングを変化させることを特徴とする。
【００２０】
また、請求項６にかかるカプセル型内視鏡システムは、被検体内に導入され、該被検体内の画像を撮像すると共に画像データを含む無線信号を外部に無線送信するカプセル型内視鏡と、該カプセル型内視鏡から送信された無線信号を受信する受信装置とを備えたカプセル型内視鏡システムであって、前記受信装置は、前記カプセル型内視鏡から送信された無線信号を受信する受信用アンテナ手段と、前記受信用アンテナ手段によって受信された無線信号に対して所定の処理を行う外部装置とを備え、前記カプセル型内視鏡は、前記被検体の内部表面に対して照明光を照射する照明手段と、入射光に応じた電気信号を出力する光電変換素子を搭載した撮像手段と、暗電流に起因して前記撮像手段に蓄積された雑音電荷を除去する雑音除去手段と、前記雑音除去手段の駆動タイミングを、前記撮像手段による電気信号の出力動作の完了後であって、前記照明手段による照明光の照射開始前の期間となるよう制御するタイミング制御手段と、前記撮像手段によって撮像された画像データを含む無線信号を外部に送信する無線手段と、を備えたことを特徴とする。
【００２１】
また、請求項７にかかるカプセル型内視鏡システムは、上記の発明において、前記撮像手段によって撮像された画像の輝度と、所定の基準輝度とを比較する比較手段と、前記比較手段による比較結果に基づいて前記照明手段から出力される照明光の発光量を調整する発光量調整手段とをさらに備え、前記タイミング制御手段は、前記照明手段の駆動開始タイミングと、前記雑音除去手段の駆動停止タイミングとが同時となるよう制御しつつ、前記発光量調整手段によって前記照明手段の駆動期間が調整された際に、前記照明手段の駆動停止タイミングを一定に維持しつつ前記照明手段の駆動開始タイミングを変化させることを特徴とする
【発明の効果】
【００２２】
本発明にかかるカプセル型内視鏡およびカプセル型内視鏡システムは、雑音除去手段の駆動タイミングを撮像手段の出力動作の完了後であって、照明光の照射開始前の期間に駆動させるタイミング制御手段を備えることとしたため、電気信号の出力動作および入射光に起因した電気信号の生成に悪影響を及ぼすことなく、暗電流に起因した雑音成分の除去を行うことができるという効果を奏する。
【発明を実施するための最良の形態】
【００２３】
以下、この発明を実施するための最良の形態（以下、単に「実施の形態」と称する）であるカプセル型内視鏡システムについて説明する。なお、図面は模式的なものであり、各部分の厚みと幅との関係、それぞれの部分の厚みの比率などは現実のものとは異なることに留意すべきであり、図面の相互間においても互いの寸法の関係や比率が異なる部分が含まれていることはもちろんである。
【００２４】
図１は、本実施の形態にかかるカプセル型内視鏡システムの全体構成を示す模式図である。本実施の形態にかかるカプセル型内視鏡システムは、被検体１の内部に導入されて被検体内画像の撮像を行い、撮像したデータを外部に対して無線送信するカプセル型内視鏡２と、カプセル型内視鏡２の被検体１内部における位置の検出を行う受信装置３と、受信装置３によって受信された画像データの内容を表示する表示装置４と、受信装置３と表示装置４との間の情報の受け渡しを行うための携帯型記録媒体５とを備える。
【００２５】
表示装置４は、カプセル型内視鏡２によって撮像された被検体内画像を表示するためのものであり、携帯型記録媒体５を介して得られるデータに基づいて画像表示を行うワークステーション等のような構成を有する。具体的には、表示装置４は、ＣＲＴディスプレイ、液晶ディスプレイ等によって直接画像を表示する構成としても良いし、プリンタ等のように、他の媒体に画像を出力する構成としても良い。
【００２６】
携帯型記録媒体５は、後述する外部装置８および表示装置４に対して着脱可能であって、両者に対する装着時に情報の出力および記録が可能な構造を有する。具体的には、携帯型記録媒体５は、カプセル型内視鏡２が被検体１の内部を移動している間は外部装置８に挿着されてカプセル型内視鏡２の位置に関する情報を記録する。そして、カプセル型内視鏡２が被検体１から排出された後に、外部装置８から取り出されて表示装置４に装着され、記録したデータが表示装置４によって読み出される構成を有する。外部装置８と表示装置４との間のデータの受け渡しをコンパクトフラッシュ（登録商標）メモリ等の携帯型記録媒体５によって行うことで、外部装置８と表示装置４との間が有線接続された場合と異なり、カプセル型内視鏡２が被検体１内部を移動中であっても、被検体１が自由に行動することが可能となる。
【００２７】
受信装置３は、カプセル型内視鏡２から無線送信された画像データを受信し、必要に応じて所定の処理を施した上で画像データを携帯型記録媒体５に記録するためのものである。具体的には、受信装置３は、受信用アンテナ７ａ〜７ｈと外部装置８とによって構成され、受信用アンテナ７ａ〜７ｈのいずれかを介してカプセル型内視鏡２から送信された無線信号を受信すると共に、無線信号の中から画像データを抽出する等の処理を行った上で携帯型記録媒体５に対して画像データを出力する機能を有する。
【００２８】
次に、カプセル型内視鏡２について説明する。カプセル型内視鏡２は、図１に示すカプセル形状の外形を備え、所定の構成要素をかかる外形のカプセル内に備えることによって形成されている。なお、カプセル型内視鏡２を構成するカプセルの形状としては、例えば回転楕円体状のものが考えられるが、本実施の形態においては、カプセルの形状を特に限定して考える必要はなく、被検体１にとって飲み込みやすい形状であれば任意の形状を用いることとして良い。
【００２９】
図２は、カプセル型内視鏡２の内部構成を示すブロック図である。カプセル型内視鏡２は、被検体内画像の撮像等を行うための第１の機構と、撮像時における照明光の強度を調整するための第２の機構と、カプセル型内視鏡２に備わる各構成要素の駆動タイミングを規定するための第３の機構とを備える。以下、各機構の構成等についてそれぞれ説明する。
【００３０】
図２に示すように、本実施の形態におけるカプセル型内視鏡２は、第１の機構として、被検体内画像を撮像し、外部に送信するための機構を有する。すなわち、カプセル型内視鏡２は、被検体１の内部に所定の照明光を照射するための照明部１１と、照明部１１から出力された照明光の反射光を入射し、入射光の強度に対応したアナログ電気信号を出力する撮像部１２と、撮像部１２から出力されたアナログ電気信号をディジタル電気信号に変換するＡ／Ｄ変換部１３と、Ａ／Ｄ変換部１３から出力されるディジタル電気信号に対して必要な処理を施し、外部に無線送信するための無線送信部１５とを備える。
【００３１】
照明部１１は、被検体１内部を照射する照明光を出力するためのものであり、かかる照明光を出力することにより、撮像部１２による被検体内画像の撮像を可能にしている。照明部１１は、具体的には、例えばＬＥＤ等の発光機構および発光機構の駆動制御回路によって形成され、後述するタイミング制御部２０によって与えられるタイミングで発光動作を行う機能を有する。
【００３２】
撮像部１２は、被検体１内部の画像を撮像するためのものである。具体的には、撮像部１２は、入射光を結像するための光学系と、光学系によって結像された入射光の強度に応じた電気信号を出力することによって、被検体１内部の画像を撮像する機能を有する。
【００３３】
図３は、撮像部１２を構成する撮像素子の一例として、いわゆるインターライン方式のＣＣＤ素子によって構成される固体撮像素子２４の構造を示す模式図である。図３に示す固体撮像素子２４は、行列状に配置された複数の光電変換素子２５と、光電変換素子２５によって形成される行列の列方向に延伸し、行数に対応して複数配置されたトランスファーゲート２６および垂直シフトレジスタ２７と、垂直シフトレジスタ２７の電荷出力方向下流に配置され、行方向に延伸した構成を有する水平シフトレジスタ２８と、水平シフトレジスタ２８から出力された電荷を電圧信号に変換する電圧変換部２９と、電圧変換部２９から出力された電圧信号を増幅する増幅部３０とを備える。なお、固体撮像素子２４において、光電変換素子２５によって構成される行列の行数および列数は、図３に示したものに限定して解釈する必要はなく、実際には撮像画像の画素数に応じて定められるものである。
【００３４】
光電変換素子２５は、入射光の強度に応じた電気信号を生成するためのものである。光電変換素子２５は、例えばフォトダイオードによって構成されており、入射光に応じた電荷を蓄積する機能を有する。
【００３５】
トランスファーゲート２６は、光電変換素子２５から垂直シフトレジスタ２７に対する電荷の移動を制御するためのものである。具体的には、トランスファーゲート２６は、電極（図示省略）によって印加される電位に応じたポテンシャルを有するよう構成されており、かかるポテンシャルの値を変化することによって、光電変換素子２５によって得られた電荷が垂直シフトレジスタ２７側に移動する。
【００３６】
垂直シフトレジスタ２７は、光電変換素子２５から出力された電荷を列方向に移動させるためのものである。具体的には、垂直シフトレジスタ２７は、行数に応じて配置された井戸型ポテンシャル３１および井戸型ポテンシャル３１のポテンシャルを制御するための電極（図示省略）によって構成され、井戸型ポテンシャル３１のポテンシャルを順次変化させることによって、光電変換素子２５から移動された電荷を列方向に移動させて水平シフトレジスタ２８に出力する機能を有する。
【００３７】
水平シフトレジスタ２８は、電荷を行方向に移動させるためのものである。具体的には、水平シフトレジスタ２８は、光電変換素子２５によって形成される行列の列数に対応した井戸型ポテンシャル３２を備えた構成を有し、かかる井戸型ポテンシャル３２のポテンシャルを順次制御することによって、電荷を電圧変換部２９に対して順次出力する機能を有する。
【００３８】
無線送信部１５は、撮像部１２によって撮像され、Ａ／Ｄ変換部１３によってディジタル信号に変換された画像データを無線送信するためのものである。無線送信部１５は、具体的には、例えば画像データに対して必要に応じて変調処理等を施すことによって無線信号を生成する送信回路と、生成された無線信号を外部に送信するための送信用アンテナとによって構成される。
【００３９】
また、カプセル型内視鏡２は、第２の機構として、照明部１１による発光量を調整する機構を有する。具体的には、カプセル型内視鏡２は、Ａ／Ｄ変換部１３から出力されたディジタル信号に基づいて、撮像部１２によって撮像された画像の画像輝度を導出する画像輝度導出部１６と、所定の基準輝度に関する情報を取得する基準輝度情報保持部１７と、画像輝度と基準輝度とを比較する比較部１８と、比較部１８による比較結果に基づいて、照明部１１における発光量を調整する発光量調整部１９とを備える。
【００４０】
画像輝度導出部１６は、撮像部１２によって撮像された画像の画像輝度を導出するためのものである。すなわち、画像輝度導出部１６は、撮像された画像データを構成する各画素の輝度値を積算すると共に、積算結果を画素数で除算することによって、単一画素の平均的な輝度を導出する機能を有する。かかる機能を実現するため、画像輝度導出部１６は、例えば検波回路を備えた構成を有する。
【００４１】
基準輝度情報保持部１７は、あらかじめ定めた基準輝度に関する情報を保持するためのものである。具体的には、基準輝度情報保持部１７は、例えば表示装置４における表示能力に対応すると共に使用者にとって画像内容が容易に視認可能な輝度を基準輝度として定めると共に、かかる基準輝度に対応した情報を保持する機能を有する。本実施の形態では、基準輝度情報保持部１７は、基準輝度情報として基準輝度に対応した電圧値を保持することとし、具体的には、基準輝度に対応した電圧値を出力する定電圧源を備えて構成されることとする。
【００４２】
比較部１８は、画像輝度導出部１６によって導出される画像輝度と、基準輝度情報保持部１７によって保持された基準輝度とを比較し、比較結果を発光量調整部１９に対して出力するためのものである。なお、比較部１８によって出力される比較結果としては、画像輝度と基準輝度との間の相関関係に応じたものであれば任意のものとして良いが、本実施の形態においては、比較部１８によって導出される比較結果として、単純に画像輝度と基準輝度との間の大小関係を出力することとする。
【００４３】
発光量調整部１９は、比較部１８によって得られた比較結果に基づいて、照明部１１から出力される照明光の光量を調整するためのものである。具体的には、発光量調整部１９は、比較部１８によって導出された比較結果に基づき照明部１１から出力される照明光の出力時間を変化させ、変化した出力時間に関する情報をタイミング制御部２０に対して出力する機能を有する。
【００４４】
なお、発光量の調整態様としては、照明光の出力時間のみならず、例えば照明部１１を構成するＬＥＤに対する注入電流値の調整等も挙げられ、これらの手法によって発光量を調整することとしても良い。しかしながら、本実施の形態においては、消費電力増加の抑制および制御アルゴリズムの簡易化の観点より、照明部１１に備わるＬＥＤ等の発光素子の発光輝度については変化させず、発光時間を変化させることによって発光量を調整することとしている。また、発光量調整部１９による照明光の出力時間の導出は、基準輝度と画像輝度との間の差が減少するよう出力時間を調整するものであれば任意のアルゴリズムを用いることが可能である。しかしながら、本実施の形態では、簡易な構成を実現する等の理由により、比較部１８が単に大小関係を出力する構成に対応して、画像輝度が基準輝度を上回る場合には一律に所定時間量だけ照明光の出力時間を減少させ、画像輝度が基準輝度を下回る場合には一律に所定時間量だけ照明光の出力時間を増加させることとする。
【００４５】
さらに、カプセル型内視鏡２は、第３の機構として、各構成要素の駆動タイミングを規定する機構を有する。具体的には、カプセル型内視鏡２は、各構成要素の動作タイミングを制御するタイミング制御部２０と、タイミング制御部２０の制御に基づいて、撮像部１２およびＡ／Ｄ変換部１３に対して駆動タイミング等を供給するタイミングジェネレータ２１とを備える。また、カプセル型内視鏡２は、上記した各構成要素に対して駆動電力を供給するための蓄電池２２を備える。
【００４６】
タイミングジェネレータ２１は、撮像部１２およびＡ／Ｄ変換部１３に対して駆動タイミングを供給すると共に、撮像部１２に蓄積された、暗電流に起因する雑音成分を除去するためのシャッターパルス（リセットパルス）を出力するためのものである。具体的には、タイミングジェネレータ２１は、タイミング制御部２０からの指示に基づいて、撮像部１２およびＡ／Ｄ変換部１３の駆動タイミングを供給すると共に、撮像部１２に対してシャッターパルスを供給する機能を有する。
【００４７】
雑音成分の除去について簡単に説明する。従来技術においても述べたように、光電変換素子２５を用いて撮像部１２を備えた構成の場合には、照明部１１から照明光が照射されていない、すなわち、固体撮像素子２４に対して光が入射しない期間においても、暗電流に起因した電荷が蓄積されることとなる。かかる電荷が残存することによって、撮像動作を経て行列状に配置された光電変換素子２５から外部に出力される電荷には入射光と無関係な暗電流に起因した成分が含まれることとなり、画像品位の低下の原因となる。
【００４８】
このため、本実施の形態では、後に詳細に説明するように照明部１１による照明光の出力動作を行う前に、暗電流に起因し、雑音成分として機能する電荷を除去することとしている。具体的には、タイミングジェネレータ２１によって、撮像部１２に対してシャッターパルス（リセットパルス）が供給される。かかるシャッターパルスが供給されることによって、例えば光電変換素子２５全体に対して所定の電位が供給され、暗電流に起因して蓄積されていた電荷が放出されることとなる。この意味で、本実施の形態においてタイミングジェネレータ２１は、雑音除去手段として機能することとなり、タイミングジェネレータ２１は、タイミング制御部２０からの指示によって所定のタイミングでシャッターパルスを撮像部１２に対して供給し、雑音成分を除去することとしている。
【００４９】
次に、タイミング制御部２０について説明する。タイミング制御部２０は、発光量調整部１９からの出力に基づいて、照明部１１、撮像部１２、Ａ／Ｄ変換部１３および画像輝度導出部１６等の動作タイミングを規定するためのものである。具体的には、これらの構成要素はタイミング制御部２０から出力されるパルスまたはタイミング制御部２０の制御に基づいてタイミングジェネレータ２１から出力されるパルスに従って駆動する構成を有することとしている。本実施の形態においては、タイミング制御部２０は、かかるパルスの立ち上がり時および立ち下がり時を制御することによって、上記構成要素の動作タイミングを制御している。
【００５０】
図４は、タイミング制御部２０によって制御されるパルスの供給タイミングを示すタイミングチャートである。まず、タイミング制御部２０の制御に基づいて、撮像動作の開始、具体的には光電変換素子２５に蓄積された電荷を垂直シフトレジスタ２７および水平シフトレジスタ２８によって出力する動作の開始タイミングを規定する開始パルスが生成される。かかる開始パルスの供給間隔によって、図４にも示すように、１画像の取得に要する撮像期間Ｔが規定されている。開始パルスが供給されることによって、固体撮像素子２４は、光電変換素子２５に蓄積された電荷を垂直シフトレジスタ２７に移動させると共に、垂直シフトレジスタ２７および水平シフトレジスタ２８等の作用により撮像画像に対応したアナログ電気信号が出力され、かかる出力タイミングと同期してＡ／Ｄ変換部１３の処理が行われ、ディジタル電気信号によって構成された画像データが生成されることとなる。
【００５１】
また、撮像期間の後半において、例えば次の撮像期間の開始を規定する開始パルスが供給される直前において、照明部１１の駆動タイミングを規定する照明部駆動パルスが供給される。ここで、本実施の形態における照明部駆動パルスは、立ち上がり時に照明部１１の駆動開始タイミングを規定し、立ち下がり時に照明部１１の駆動停止タイミングを規定する。照明部１１はかかる照明部駆動パルスに従って動作し、図４に示す例では、開始パルスが供給される直前、すなわち固体撮像素子２４における電荷の移送が開始される直前に、照明部１１は照明光を出力する。
【００５２】
さらに、撮像期間の後半において、シャッターパルスが供給される。シャッターパルスは、少なくとも同一の撮像期間における撮像部のデータ出力動作完了後であって、照明部１１の駆動が開始される前に供給されており、図４に示す例では、照明部駆動パルスの立ち上がりと同時に立ち下がるようにシャッターパルスの供給タイミングは制御されている。
【００５３】
次に、発光量調整部１９による発光量調整動作と、発光量調整部１９からの出力に基づいて、タイミング制御部２０によって行われるパルス供給タイミングの変動制御について説明する。タイミング制御部２０は、基本的には図４に示す態様のパルスを供給するための制御を行う一方で、発光量調整部１９からの出力値に応じて各パルスの供給タイミングを変動させる機能をも有する。すなわち、発光量調整部１９は、既に説明したように、照明部１１から出力される照明光の出力時間を変化させることによって発光量を調整する機構を有する。このため、発光量調整部１９によって調整された発光量の照明光を出力するためには、照明部駆動パルスの時間幅を増加させる必要があると共に、図４に示す他のパルスの供給タイミングについても変化させる必要がある。従って、タイミング制御部２０は、発光量調整部１９からの出力に基づいて、これらのパルスの供給タイミング変動についても制御している。
【００５４】
図５は、発光量調整部１９によって行われる発光量調整動作と、発光量調整動作に引き続いてタイミング制御部２０によって行われるパルス供給タイミングの変動制御について示すフローチャートである。図５に示すように、まず、発光量調整部１９は、比較部１８によって導出された比較結果を入力し（ステップＳ１０１）、比較結果に基づき画像輝度と基準輝度との大小関係を判定する（ステップＳ１０２）。画像輝度が基準輝度を上回る場合には（ステップＳ１０２，Ｉｒ＞Ｉｓ）、表示部駆動パルスの時間幅ｔをｔ−Δｔに変化させる（ステップＳ１０３）。また、画像輝度が基準輝度を下回る場合には（ステップＳ１０２，Ｉｒ＜Ｉｓ）、表示部駆動パルスの時間幅ｔをｔ＋Δｔに変化させる（ステップＳ１０４）。さらに、画像輝度と基準輝度とが等しい場合には（ステップＳ１０２，Ｉｒ＝Ｉｓ）、表示部駆動パルスの時間幅ｔの値を維持する（ステップＳ１０５）。そして、ステップＳ１０３、Ｓ１０４、Ｓ１０５のそれぞれのステップにおいて定められた表示駆動パルスの時間幅の値をタイミング制御部２０に対して出力する（ステップＳ１０６）。
【００５５】
次に、タイミング制御部２０の動作について説明する。まず、タイミング制御部２０は、発光量調整部１９から出力された表示駆動パルスの時間幅の具体的な値を入力する（ステップＳ１０７）。そして、把握した時間幅となるよう、表示駆動パルスの立ち下げ時を固定しつつ、立ち上げ時を変化させる（ステップＳ１０８）。その後、表示駆動パルスの立ち上げ時の変化にあわせて、表示駆動パルスの立ち上がり時と立ち下がり時とが一致するように、シャッターパルスの立ち上がりタイミングおよび立ち下がり時を変化させる（ステップＳ１０９）。以上の動作によって、照明部１１の照明光出力期間の変動に伴う各動作パルスのタイミングが調整され、各構成要素に対して伝達され、タイミング制御部２０の動作が完了する。
【００５６】
ステップＳ１０８、Ｓ１０９における動作について簡単に説明する。図６は、ステップＳ１０８、Ｓ１０９において行われるタイミング変動の内容を示す模式図である。既に述べたように、本実施の形態では、照明部１１の駆動時間を調整することによって、照明部１１によって出力される照明光の光量を変化させることとしている。このため、照明部駆動パルスの時間幅を変化させることとしているのであるが、具体的な変化の態様としては、パルスの立ち上がり時のみを変更する、パルスの立ち下がり時のみを変更する、立ち上がり時および立ち下がり時の双方を変更する３通りの変化態様が考えられる。
【００５７】
かかる複数の態様の中で、本実施の形態ではステップＳ１０８において、図６に示すように、照明部駆動パルスの立ち下がり時を変化すること無く、立ち上がり時のみを変更することによってパルスの時間幅を調整することとしている。タイミング制御部２０がかかる制御動作を行うことによって、開始パルス、撮像部出力タイミングが供給されるタイミングは、照明部駆動パルスの時間幅の変化にかかわらず、一定のタイミングに維持されることとなる。
【００５８】
また、ステップＳ１０９における制御動作によって、シャッターパルスの立ち上がり時および立ち下がり時は、図６に示すように変化する。すなわち、ステップＳ１０８において変化した照明部駆動パルスの立ち上がり時にあわせてシャッターパルスの立ち下がり時が変化して照明部駆動パルスの立ち上がり時とシャッターパルスの立ち下がり時とが一致した状態を維持すると共に、立ち下がり時の変化に対応して立ち上がり時も変化している。なお、本実施の形態では、シャッターパルスの時間幅は、照明部駆動パルスの時間幅の変化にかかわらず一定値に維持されることとし、このため、シャッターパルスの立ち下がり時および立ち上がり時は、照明部駆動パルスの立ち上がり時の変化量と等しい量だけ時間変化することとなる。
【００５９】
次に、本実施の形態にかかるカプセル型内視鏡システムの利点について説明する。まず、本実施の形態にかかるカプセル型内視鏡システムでは、カプセル型内視鏡２において、暗電流に起因して蓄積された電荷を除去する構成を採用している。かかる構成とすることによって、暗電流に起因した雑音成分が撮像画像データ中に混入することを防止することが可能である。
【００６０】
なお、かかる暗電流の除去を行うタイミング（すなわち、シャッターパルスを供給するタイミング）として、本実施の形態では、少なくとも単一の撮像期間内において撮像部の出力が完了した後であって、照明部駆動パルスが供給される前としている。かかるタイミングとした理由は以下の通りである。すなわち、照明部駆動パルスが供給された後にシャッターパルスを供給した場合には、光電変換素子２５によって入射光に対応して生成された電荷についてもあわせてキャンセルされることとなり、高品位の画像データの取得の観点からは妥当ではない。このため、本実施の形態においては、照明部駆動パルスが供給される前にシャッターパルスを供給することとし、かかるタイミングでシャッターパルスを供給することによって、入射光に対応した電荷に悪影響を及ぼすことなく雑音成分の除去を可能としている。
【００６１】
また、シャッターパルスは、高強度のパルス信号によって構成されるのが通常である。このため、固体撮像素子２４に備わる垂直シフトレジスタ２７および水平シフトレジスタ２８によって電荷を移送している、すなわち撮像部１２からアナログ電気信号を出力している際にシャッターパルスを供給した場合には、電荷の移送に悪影響を及ぼすおそれがある。従って、本実施の形態においては、撮像部１２からのアナログ電気信号の出力が完了した後にシャッターパルスを供給することとし、かかるタイミングでシャッターパルスを供給することによって、電荷の移送に悪影響を及ぼすことなく雑音成分の除去を可能としている。
【００６２】
また、本実施の形態では、シャッターパルスの供給タイミングを照明部駆動パルスの供給の直前、より好ましくは図４、図６の例に示すように照明部駆動パルスの立ち上がり時にシャッターパルスの立ち下がり時が一致するよう制御している。かかる構成とすることにより、本実施の形態にかかるカプセル型内視鏡システムは、暗電流に起因した雑音成分の除去をより確実に行うことが可能であるという利点を有する。すなわち、暗電流に起因した電荷は、撮像期間全般に渡って徐々に蓄積されるものであることから、一度シャッターパルスを供給して雑音成分を除去しても、その後再び暗電流に起因した雑音成分の蓄積が行われることとなる。従って、本実施の形態では、シャッターパルスの除去を被検体内画像に対応した光が光電変換素子２５に入射するタイミング（すなわち、照明部駆動パルスが供給されるタイミング）の直前、より好ましくは照明部駆動パルスが立ち上がる時点に、シャッターパルスが立ち下がる構成とし、かかる構成により、より確実な雑音成分が除去できるという利点を享受している。
【００６３】
さらに、本実施の形態では、実際に撮像された画像の輝度である画像輝度と、表示装置４の表示特性等によって定まる所定の基準輝度との比較結果に基づいて照明部１１から出力される照明光の出力時間を変化させる構成を有する。従って、本実施の形態におけるカプセル型内視鏡２は、基準輝度と近似した輝度を有する高品位な画像データを取得することが可能であるという利点を有する。
【００６４】
特に、本実施の形態では、比較部１８は画像輝度と基準輝度との間の大小関係のみを導出することとしている。発光量調整部１９が用いる比較結果として、画像輝度と基準輝度との間の大小関係のみを導出することとしたため、比較部１８は、いわゆるオペアンプと抵抗素子等を用いた比較器によって構成することが可能である。かかる比較器は構成が簡易であると共に消費電力も低い値に抑制されることから、カプセル型内視鏡２に内蔵する構成としても、カプセル型内視鏡２の大型化および消費電力の増加といった問題を回避することが可能である。
【００６５】
また、発光量調整部１９は、比較部１８で得られた大小関係に基づいて、照明光の出力時間を、あらかじめ定めた時間（図５のフローチャートにおけるΔｔ）だけ変化させる構成を採用している。すなわち、発光量調整部１９は、図５のフローチャートにも示したように、画像輝度が基準輝度を上回る場合には照明光の出力時間をΔｔだけ減じ、画像輝度が基準輝度を下回る場合には照明光の出力時間をΔｔだけ増やすよう機能している。かかる構成を採用することによって、発光量調整部１９における演算量を低減することが可能であると共に、発光量調整部１９を実現するための電子回路等の構成を単純化することが可能である。従って、発光量調整部１９についても小型かつ低消費電力の構成を採用することが可能である。
【００６６】
なお、被検体１内部に導入されて被検体内画像を撮像するカプセル型内視鏡２の場合には、上記のメカニズムによって発光量の調整を行った場合でも、充分実用に耐えるものとなる。すなわち、被検体１内部における入射光量の変化は、例えば室内から室外に移動した際のようなダイナミックなものではなく、連続的かつ緩やかな変化となるのが通常である。このため、上記したような簡易な構成であっても、入射光量の変化に対応した発光量の導出について、実用上問題ない程度に行うことが可能である。
【００６７】
さらに、本実施の形態では、タイミング制御部２０についても簡易な構成とすることが可能である。すなわち、図４および図６に示したように、開始パルスの供給タイミングは一定の周期に維持されると共に、照明部駆動パルスの立ち下がり時は、開始パルスの立ち上がり時と一致するよう規定されている。さらに、タイミング制御部２０は、照明部駆動パルスの時間幅が変動した場合であっても、照明部駆動パルスの立ち上がり時とシャッターパルスの立ち下がり時とが一致した状態を維持しつつ照明部駆動パルスの立ち上がり時を変化させている。
【００６８】
このため、本実施の形態では、発光量調整部１９からの出力値に基づくタイミング制御部２０の動的制御としては、照明部駆動パルスの立ち上がり時の変更のみを行うことで充分である。すなわち、開始パルスの供給タイミングは常に一定としており、発光量調整部１９からの出力値とは無関係に制御されている。また、例えば、シャッターパルスの供給制御に関して、あらかじめ、パルスの時間幅を一定の値に設定し、かつシャッターパルスの立ち下がり時を照明部駆動パルスの立ち上がり時と一致させることとあらかじめ設定しておく。かかる設定条件の下で動的制御を行った場合には、タイミング制御部２０は、照明部駆動パルスの立ち上がり時の変更のみにより、他のあらゆる駆動パルスの立ち上がり時および立ち下がり時を制御することが可能となる。従って、本実施の形態におけるカプセル型内視鏡２では、上記した利点を教示するためのタイミング制御部２０の制御動作を簡易なアルゴリズムによって行うことが可能であり、この結果、簡易な構成かつ低消費電力のタイミング制御部２０を用いることが可能であるという利点を有する。
【００６９】
以上、実施の形態を用いて本発明を説明してきたが、本発明は上記のものに限定されず、当業者であれば様々な実施例、変形例および応用例に想到することが可能である。例えば、タイミングジェネレータ２１がシャッターパルスを供給することによって雑音成分を除去する以外の構成によって雑音成分を除去することとしても良い。また、図５に示すフローチャートでは、照明部駆動パルスの時間幅について、画像輝度と基準輝度とが一致した場合のみ変化させないこととしたが、例えば、比較部１８の構成を工夫することにより、いずれか一方の輝度が大きい場合であっても、輝度差が所定の閾値以下の場合には照明部駆動パルスの時間幅を変化させないこととしても良い。
【００７０】
さらに、実施の形態では、撮像部１２を構成する固体撮像素子としては、図３にも示したようにＣＣＤを用いることとしたが、かかる構成に限定して解釈する必要はなく、例えばＣＭＯＳを用いることとしても良い。すなわち、暗電流に起因した雑音成分が顕在化するような撮像素子であれば、任意のものを用いてカプセル型内視鏡を構成することとして良い。なお、撮像部にＣＭＯＳを用いた場合には、Ａ／Ｄ変換部１３の代わりにサンプルホールド回路を用いることが好ましい。
【図面の簡単な説明】
【００７１】
【図１】実施の形態にかかるカプセル型内視鏡システムの全体構成を示す模式図である。
【図２】カプセル型内視鏡システムに備わるカプセル型内視鏡の構成を示すブロック図である。
【図３】カプセル型内視鏡に備わる撮像部を構成する固体撮像素子の一例の構造を示す模式図である。
【図４】カプセル型内視鏡に備わるタイミング制御部によって制御されるパルスの供給タイミングを示すタイミングチャートである。
【図５】カプセル型内視鏡に備わる発光量調整部およびタイミング制御部の動作を説明するためのフローチャートである。
【図６】タイミング制御部の動作を説明するための模式図である
【図７】暗電流の温度依存性について模式的に示すグラフである。
【符号の説明】
【００７２】
１  被検体
２  カプセル型内視鏡
３  受信装置
４  表示装置
５  携帯型記録媒体
７  受信用アンテナ
８  外部装置
１１  照明部
１２  撮像部
１３  Ａ／Ｄ変換部
１５  無線送信部
１６  画像輝度導出部
１７  基準輝度情報保持部
１８  比較部
１９  発光量調整部
２０  タイミング制御部
２１  タイミングジェネレータ
２２  蓄電池
２４  固体撮像素子
２５  光電変換素子
２６  トランスファーゲート
２７  垂直シフトレジスタ
２８  水平シフトレジスタ
２９  電圧変換部
３０  増幅部
３１、３２  井戸型ポテンシャル
【図１】
2005319096.tif 000003
【図２】
2005319096.tif 000004
【図３】
2005319096.tif 000005
【図４】
2005319096.tif 000006
【図５】
2005319096.tif 000007
【図６】
2005319096.tif 000008
【図７】
2005319096.tif 000009